(57)【要約】  収容部に形成された空洞部をカバーするためロックボルトカバーを収容部に対して固定するためのツールを必要としないハンドルロックアセンブリは空洞部内で受止められるロックボルト付の内部に形成された空洞部を有する収容部を含む。空洞部を覆うロックボルトカバーはロックボルトが貫通する開口部を有する。スナップベルトはロックボルトカバーと収容部の一方に固定され、ロックボルトカバーと収容部の他方と係合して、ロックボルトカバーを収容部に固定する。一実施例において、スナップベルトに形成されたクラッシュリブはカバーと収容部間の接触を最小にして、ガタツキを最小にする。
2007522025.tif 000002
【特許請求の範囲】
【請求項１】
内部に形成された空洞部を有する収容部と；
前記空洞部内に受止められるロックボルトと；
前記空洞部をカバーするロックボルトカバーと；
前記ロックボルトカバーと前記収容部の一方に固定され、前記ロックボルトカバーを前記収容部に対して固定するため前記ロックボルトカバーと前記収容部の他方と係合するスナップベルトと；
を具備することを特徴とするハンドルロックアセンブリ。
【請求項２】
前記ロックボルトカバーは前記ロックボルトが貫通する開口部を有することを特徴とする請求項１記載のハンドルロックアセンブリ。
【請求項３】
前記空洞部は底部壁と開口上部を含み、前記ロックボルトカバーは前記開口上部を閉じることを特徴とする請求項１記載のハンドルロックアセンブリ。
【請求項４】
前記カバーは側部により結合される上部と底部を含み、前記側部の少なくとも一方に形成された溝部が前記スナップベルトを受止めて、前記スナップベルトを前記カバーに対して固定することを特徴とする請求項１記載のハンドルロックアセンブリ。
【請求項５】
前記スナップベルトが前記ロックボルトカバーと前記収容部の他方と係合する少なくとも一方のスナップタブを含み、前記ロックボルトカバーを前記収容部に固定することを特徴とする請求項１記載のハンドルロックアセンブリ。
【請求項６】
前記スナップタブが前記ロックボルトカバーを前記収容部に固定するため前記ロックボルトカバーと前記収容部の他方と係合するカム表面を有する外方向に伸びる突出部であることを特徴とする請求項５記載のハンドルロックアセンブリ。
【請求項７】
前記空洞部は内壁を含み、前記内壁に形成された少なくとも１つの開口部は前記カバーを前記収容部に固定するため前記少なくとも１つのスナップタブを受止めることを特徴とする請求項５記載のハンドルロックアセンブリ。
【請求項８】
前記スナップベルトは前記収容部と前記カバー間の接触により生じるガタツキを最小にするためクラッシュリブを有することを特徴とする請求項１記載のハンドルロックアセンブリ。
【請求項９】
前記収容部と前記カバーが金属で形成され、前記ベルトがプラスチックで形成されることを特徴とする請求項１記載のハンドルロックアセンブリ。
【請求項１０】
前記カバーは環状溝部を有し、前記スナップベルトは前記スナップベルトを前記カバーに固定するため前記環状溝に受止められることを特徴とする請求項１記載のハンドルロックアセンブリ。
【請求項１１】
前記カバーから前記溝部内に伸びる仕切り部は前記カバーと前記ベルトの組み立て中に前記スナップベルトの少なくとも一部を受止めるための前記溝内にポケットを形成するため前記スナップベルトの少なくとも一部を前記溝部から離間することを特徴とする請求項１０記載のハンドルロックアセンブリ。
【請求項１２】
内部に形成された空洞部を有する収容部と；
前記空洞部をカバーするカバーと；
前記カバーと前記収容部の一方に固定され、前記カバーを前記収容部に対して固定するため前記カバーと前記収容部の他方と係合するスナップベルトと；
を具備することを特徴とするアセンブリ。
【請求項１３】
前記カバーは側部により結合された上部と底部を含み、前記側部の少なくとも一つに形成された溝部が前記スナップベルトを前記カバーに結合するため前記スナップベルトを受止めることを特徴とする請求項１２記載のアセンブリ。
【請求項１４】
前記スナップベルトは前記ロックボルトカバーを前記収容部に固定するため前記ロックボルトカバーと前記収容部の他方と係合する少なくとも１つのスナップタブを有することを特徴とする請求項１２記載のロックアセンブリ。
【請求項１５】
前記スナップタブは前記ロックボルトカバーを前記収容部に固定するため前記ロックボルトカバーと前記収容部の他方と係合するカム表面を有する外方向に伸びる突出部であることを特徴とする請求項１４記載のアセンブリ。
【請求項１６】
前記空洞部は内壁を含み、前記内壁に形成された少なくとも一つの開口部が前記カバーを前記収容部に固定するため前記少なくとも１つのスナップタブを受止めることを特徴とする請求項１４記載のアセンブリ。
【請求項１７】
前記スナップベルトが前記収容部と前記カバー間の接触により生じるガタツキを最小にするためクラッシュリブを有することを特徴とする請求項１２記載のアセンブリ。
【請求項１８】
前記収容部と前記カバーが金属で形成され、前記ベルトがプラスチックで形成されることを特徴とする請求項１２記載のアセンブリ。
【請求項１９】
前記カバーが環状溝部を含み、前記スナップベルトが前記スナップベルトを前記カバーに固定するため前記環状溝部に受止められることを特徴とする請求項１２記載のアセンブリ。
【請求項２０】
前記カバーから前記溝部に延びる仕切り部が前記カバーと前記ベルトの組み立て時において前記スナップベルトの少なくとも一部を受け入れるための前記溝部にポケットを形成するため前記スナップベルトの少なくとも一部を前記溝部から離間することを特徴とする請求項１９記載のアセンブリ。
【請求項２１】
ロックボルトが前記空洞部内に受止められ、前記カバー内に形成された開口部を貫通して伸びていることを特徴とする請求項１２記載のアセンブリ。
【請求項２２】
前記空洞部が底部壁と開口上部を含み、前記カバーが前記開口上部を閉じていることを特徴とする請求項１２記載のハンドルロックアセンブリ。
【請求項２３】
収容部内に形成された空洞部をカバーする方法において、
スナップベルトをカバーと収容部の少なくとも一方に固定する工程と；
前記カバーを前記空洞部内に圧迫する工程と；
前記カバーを前記収容部に固定するため、前記スナップベルトを前記カバーと前記収容部の他方に係合させる工程と；
を具備することを特徴とする方法。
【発明の詳細な説明】
【技術分野】
【０００１】
本発明はハンドルロックモジュール、特に、ロックボルトカバーを有する自動車用ハンドルロックアセンブリに関する。
【背景技術】
【０００２】
車両に使用するハンドルロックアセンブリは典型的には車両のステアリングコラムに搭載されている収容部を含んでいる。ステアリングコラムは車両を操縦するため車両の車輪の角度方向を回転変更するステアリングシャフトを収納している。ステアリングシャフトはハンドルロックアセンブリ収容部に形成された空洞部に往復動的に搭載されたロックボルトにより選択的にロックされる。ロックボルトはステアリングシャフトの回転および車両を操縦する能力を防止するためにステアリングシャフトと係合可能である。ロックボルトカバーはカバーを収容部に固定するためネジ、ボルト、棒、ピン等を使用して空洞部上の収容部に固定される。
【発明の開示】
【発明が解決しようとする課題】
【０００３】
ロックボルトカバーと収容部は、経時的なファスナーの緩みで、最終使用者を悩ませるガタツキを協同的に発生させるカバーおよび収容部になる金属で形成されている。さらに、ハンドルロックアセンブリの組み立てはロックボルトカバーを収容部に固定するためネジ、ボルト、棒、ピン等の使用がねじ回し、レンチ等のツールを要求するので時間を要する。したがって、ロックボルトカバーを収容部に固定するためツールを必要とすることなく容易に組み立てができ、ガタツキを最小にできるハンドルロックアセンブリを求める需要がある。
【課題を解決するための手段】
【０００４】
本発明は収容部に形成された空洞部をカバーするためロックボルトカバーを収容部に固定するためのツールを要求しないハンドルロックアセンブリを提供するものである。アセンブリはロックボルトが空洞部に受け入れられるように内部に形成された空洞部を有する収容部を含む。空洞部をカバーするロックボルトカバーはロックボルトが貫通して伸びる開口部を有する。スナップベルトはロックボルトカバーと収容部の一方に固定され、ロックボルトカバーを収容部に固定するためロックボルトカバーと収容部の他方と係合する。一実施例において、スナップベルトに形成されたクラッシュリブはガタツキを最小にするためカバーと収容部間の接触を最小にする。
【０００５】
本発明の一般的な目的はカバーを収容部に固定するためのツールを要求しないカバーを含むアセンブリを提供することである。この目的はロックボルトカバーと収容部の一方に固定されたスナップベルトを設けることにより達成され、ロックボルトカバーを収容部に固定するためロックボルトカバーと収容部の他方と係合する。
【０００６】
本発明の他の目的はカバーと収容部間の接触により生じたガタツキを最小にすることである。この目的はカバーと収容部間の接触を最小にするためクラッシュリブをスナップ上に設けることにより達成される。
【０００７】
本発明の前述の、及び他の目的及び利点は以下の説明から明らかになるであろう。説明において、一部を形成し且つ本発明の好ましい実施例が図示される添付図面が参照される。
【０００８】
本発明の好ましい実施例が詳細に説明される前に、本発明が以下の説明又は図面に示された構成の詳細および部品配置に対する応用例に限定されないことを理解すべきである。本発明は他の実施例も可能であり、種々の方法で実施できる。ここで使用される専門語及び術語は説明目的であり、限定と見なすべきでないことが理解される。
【発明を実施するための最良の形態】
【０００９】
図１−図１６に示されるように、車両のステアリングコラムに搭載するのに適するハンドルロックアセンブリ１０はステアリングシャフトと係合可能なロックボルト１２を含んでいる。回転時に、ステアリングシャフトは車両を操縦するため車両の車輪の角度方向を変更する。ロックボルト１２はステアリングシャフトの回転及び車両を操縦する能力を防止するためステアリングシャフトと選択的に係合する。好ましくは、キーにより作動するシリンダーロックアセンブリはロックボルト１２をステアリングシャフトと選択的に係合するためステアリングロックアセンブリ１０を作動させる。ここに開示された実施例において、ハンドルロックアセンブリ１０の一部を形成する点火スイッチ１４はロックボルト１２がステアリングシャフトから解除されると車両を始動するように作動する。
【００１０】
ハンドルロックアセンブリ１０は円筒部２６から接線方向に延長するロックボルト部２２を有するアセンブリ収容部２０を有する。円筒部２６は円筒前方端部２８と円筒後方端部３０間に伸びている。円筒前方端部２８を介して円筒部２６に受止められるカム３２は円筒部２６の縦軸４０に直交する往復動のためのロックボルト部２２に搭載されたロックボルト１２と係合する。カムスプリング３６により軸方向に偏倚されたカムピン３４はカム３２を貫通して伸び、収容部２０の円筒後方端部３０に搭載された点火スイッチ１４と係合する。円筒前方端部２８に係合されたアンテナ収容部３８は円筒ロックアセンブリを受け入れている。好ましくは、円筒ロックアセンブリは車両を始動し且つステアリングコラムをアンロックするためカム３２とカムピン３４に係合している。
【００１１】
図１−図５を参照すると、収容部２０は好ましくは亜鉛ダイキャスト合金、アルミ等の金属で形成されたロックボルト部２２と円筒部２６を有する単一部品として形成される。単一部品として形成された収容部２０が好ましいが、収容部２０は本発明の範囲から逸脱することなく従来知られた溶接、ボルト締め等の方法を使用して共に結合される複数の部分から形成される。さらに、本発明は金属のような非弾性材料で形成される収容部２０に特に適切であるが、収容部２０は本発明の範囲から逸脱することなくプラスチック、セラミックのような材料で形成できる。
【００１２】
収容部２０のロックボルト部２２はロックボルト１２を往復動的に収容し、車両ステアリングシャフトを受ける凹状上部表面４２を含む。上部表面４２は空洞部４８を形成する側壁４６により底部壁４４に結合される。空洞部４８は上部表面４２に対して開放し、ロックボルト１２およびロックボルトスプリング５２を受け入れる。ロックボルトスプリング５２はロックボルト１２をステアリングシャフトと係合してバイアスするためロックボルト１２とロックボルト底部壁４４間に置かれる。収容部２０に対して固定されるロックボルトカバー６０は空洞部４８をカバーし、空洞部４８からのロックボルト１２の動きを制限する。
【００１３】
図１−図４及び図６−図１０に示されるロックボルトカバー６０は好ましくは亜鉛ダイキャスト合金、アルミ等の金属で形成され、スナップベルト７０により収容部２０に対して固定される。カバー６０は側部６６と端部６８により結合された上部プレート６２と底部プレート６４を含む。側部６６と端部６９はスナップベルト７０を受ける環状溝部７２を画成するため上部及び底部プレート６２、６４の外周辺部から内方向に離間している。底部プレート６４とカバー側部６６の２つの対向端部７８に形成されたスロット７６はスナップベルト７０をカバー６０に適切に配置するためスナップベルト７０から内方向に伸びるベルト案内タブ８０を受ける。さらに、上部プレート６２の端部から外方向に伸びるカバー案内タブ８４はカバー６０を空洞部４８に適切に向けるため収容部２０に形成されたスロット８６に受け入れられる。本発明は特に金属のような非弾性材料で形成されたカバー６０に適するが、カバー６０は本発明の範囲から逸脱することなくプラスチック、セラミックのような材料で形成可能である。
【００１４】
各カバー端部６９から伸びる仕切り部９０は上部及び底部プレート６２、６４の外周辺部の手前の溝部７２に伸びている。仕切り部９０は仕切り部９０の両側部の溝部７２にポケット９２を形成するため溝部７２を２分割し、スナップベルト７０をカバー端部６８から離間している。ポケット９２はカバー６０とスナップベルト７０が組み立て中に空洞部４８に圧迫されるように内方向に変形するのを可能にする。
【００１５】
ロックボルト１２はステアリングシャフトと係合するためカバー６０を貫通して形成される矩形開口部９４を貫通して伸びている。好ましくは、カバー上部プレート６２は実質的に凹状ロックボルト部の上部表面４２と同一平面である凹状上部表面９６を含んでいる。カバー上部表面９６から延びているリップ部９８は開口部９４を囲んでいる。リップ部９８が示されるが、発明を実施するために必須ではない。
【００１６】
図１−図３及び図１２−図１６に示されるスナップベルト７０は組み立て中に道具の必要性を除去するためスナップはめ合いを利用して収容部２０に対してロックボルトカバー６０を固定する。好ましくは、スナップベルト７０は２つの端部１０２により結合された２つの側部１００を有するエンドレス矩形ストリップの形状でアセタールのようなプラスチック材料でモールドされる。スナップベルト７０がロックカバー６０の環状溝７２に受止められ、カバー６０を囲むカバー上部及び底部プレート６２、６４間にぴったりとはめ込まれる。スナップベルト７０の内部対抗面１０８はカバー６０に面し、カバー側部６６と仕切り部９０と当接する。スナップベルト７０の外部対向面１１０は組み立て時に収容部空洞側壁部４６に面している。内部及び外部対向面１０８、１１０はスナップベルト７０の上部端部１１２と底部端部１１４間に伸びている。
【００１７】
一対のスナップタブ１２０はスナップベルト７０及びカバー６０を収容部２０に固定するためスナップベルト７０の各端部１０２の外部対向面１１０から収容空洞部４８の側壁部４６に形成された開口部１２４に伸びている。空洞部側壁４６を貫通して形成された開口部１２４はアセンブリ１０を分解できるので好まれるが、スナップタブ１２０と係合するため空洞部側壁４６から空洞部４８に延びるシェルフ又はリッジ部が本発明の範囲から逸脱することなく使用できる。
【００１８】
（図１５及び図１６に最良に示される）各スナップタブ１２０は低端部１２６を有する傾斜突出部であり、スナップベルト７０の底部端部１１４とスナップベルト７０の上部端部１１２に近接する上部端部１２８と同一表面にある。上部端部１２８は外方向の対向傾斜カム表面１３０を画成するため低端部１２６よりベルト外部対向表面１１０から更に伸びている。
【００１９】
外部対向カム表面１３０は低端部１２６及び上端部１２８間に伸び、組み立て中に収容部空洞部側壁４６と係合する。組み立て中に、カバー６０とスナップベルト７０が収容部空洞部４８に強制されるので、カム表面１３０は、各スナップタブ１２０がカバー６０に向かって後退するように、ベルト端部１０２の部分をカバー６０に向けて溝部７２に形成されたポケット９２内の変形形状に圧迫される。好ましくは、空洞部側壁４６の上部端部は最初にカム表面１３０と係合するために面取りされ、空洞部４８へのカバー６０の挿入を容易にする。
【００２０】
一旦カバー６０が収容部空洞部４８に充分に挿入され、スナップタブ１２０が収容部空洞側壁４６に形成された開口部１２４と整合されると、スナップベルト７０は非変形状態で元に戻り、スナップタブ１２０を開口部１２４に強制し、スナップベルト７０およびカバー６０を収容部２０に対して固定する。
【００２１】
ロックボルトカバーから伸びているスナップタブが好まれるが、他の構造が本発明の範囲を逸脱することなくスナップベルトを収容部に固定するために提供される。例えば、スナップベルトは空洞部側壁部に形成された内方向に伸びるリブを超えて強制されるカム表面として作用する傾斜外部対向表面を持つことが可能である。一旦スナップベルトがリブを超えて強制されると、スナップベルトの上部端部がスナップベルトを収容部に固定するためリブと係合する。
【００２２】
スナップベルト７０の内部及び外部対向表面１０８、１１０から伸びているクラッシュリブ１３２、１３４および１３６はガタツキを生じるカバー６０と収容部２０間の接触を最小にするためスナップベルト７０をカバー６０に対して離間している。ここに開示された実施例において、対のクラッシュリブ１３２、１３６はスナップベルト側部１００と端部１０２の各々から内方向に伸びている。スナップベルト端部１０２の内部対向表面１０８から内方向に伸びるスナップクラッシュリブ１３４はカバーから環状溝部７２に伸びている仕切り部９０と係合している。スナップベルト側部１００の内部対向表面１０８から内方向に伸びている対ガタツキ音クラッシュリブ１３６はカバー側部６６と係合している。さらに、スナップベルト側部１００の外部対向表面１１０から外方向に伸びている対ガタツキ音クラッシュリブ１３２は収容部空洞部側壁部４６と係合している。例示されるようなクラッシュリブが好まれるが、任意の数のクラッシュリブが使用でき、又は本発明の範囲から逸脱することなく除去できる。
【００２３】
ベルト案内タブ８０は各スナップベルト端部１０２の近傍である各スナップベルト側１００の内部対向表面１０８から内方向に伸びている。各案内タブ８０はスナップベルト７０をカバーに位置決めするためカバー６０の底部プレート６４および側部６６に形成されたスロットの一つに受止められる。好ましくは、２つの案内タブ８０及びスロット７６がスナップベルト７０をカバー６０に適切に向けるように設けられる。しかしながら、任意の数の案内タブ及びスロットは本発明の範囲から逸脱することなく任意の位置に使用できる。
【００２４】
図１−図１６を参照すると、ロックボルトカバー６０は収容部空洞部４８に受け入れられるロックボルトカバー／スナップベルトアセンブリを最初に形成することにより収容部４８と共に組み立てられる。ロックボルトカバー／スナップベルトアセンブリは最初にスナップベルト案内タブ８０をカバー底部プレート６４と側部６６に形成されたスロット７６と、且つ側部６６を底部プレート６４と面するベルト７０の上部端部１１２と整合することにより組み立てられる。スナップベルト７０はカバー上部プレート６２の近傍であるスナップベルト上部端部１１２と底部プレート６４の近傍のスナップベルト底部端部１１４で環状溝部７２にはめ込むまで底部プレート６４を超えて押圧され、ロックボルトカバー／スナップベルトアセンブリを形成する。
【００２５】
ロックボルトカバー／スナップベルトアセンブリは最初にロックボルトカバー／スナップベルトアセンブリを収容部空洞部４８に位置決めすることにより収容部３０と共に組み立てられ、カバー底部プレート６４は収容部２０に形成されたスロット８６と整合するカバー案内タブ８４で収容部１２０と対向し且つ受け入れられ、各スナップタブ１２０は空洞部側壁４６に形成された開口部１２４の一つの上方に離間される。ロックボルトカバー／スナップベルトアセンブリは空洞部４８に押し込められ、各スナップタブ１２０のカム表面１３０がスナップベルト７０とスナップベルト７０の力領域を溝部７２に形成されたポケット９２に変形するため空洞部側壁４６の一つと係合する。好都合には、スナップベルト７０の部分をポケット９２に押し込むことはスナップタブ１２０を少なくとも部分的に溝部７２に後退させる。スナップタブ１２０を少なくとも部分的に溝部７２に後退させると、ロックボルトカバー／スナップアセンブリがツールを使用せずに空洞部４８に容易に押入される。
【００２６】
一旦スナップタブ１２０が空洞部側壁４６内の開口部１２４と整合されると、スナップベルト７０はスナップタブ１２０を（図１６に示される）開口部１２４に強制する非変形位置に押し戻し、スナップベルト７０およびカバー６０を空洞部４８内の収容部２０に固定する。好都合には、カバー６０と収容部２０はネジ、ボルトのような追加の機械的締結具を使用せずに互いに固定される。さらに、カバー６０と収容部２０は部品をすばやく且つ簡単に組み立てるためツールを必要とすることなく共にカチッとはめ込まれる。追加の締結具は必要とされないが、本発明の範囲を逸脱することなく使用できる。
【００２７】
本発明の好ましい実施例はハンドルロックアセンブリであるが、本発明を内蔵する任意のアセンブリはカバーにより覆われた開口部付の収容部を有する。しかしながら、カバー内に形成され環状溝部で受止められ、収容部と係合するスナップタブを有するスナップベルトが開示されているが、スナップベルトは空洞部側壁に形成された溝部に受止められるように収容部に固定され、かつ本発明の範囲を逸脱することなくカバーを収容部に固定するためカバーを係合するスナップタブを持つことが可能である。
【００２８】
本発明の他の実施例において、空洞部は閉鎖された上部と開口した底部を有する。貫通したロックボルト開口部を有する上部壁部はステアリングシャフトと係合するためのロックボルト開口部を貫通して伸びるロックボルトで空洞部上部を閉鎖する。スナップベルトとの組合せで上述のカバー６０のようなカバーは空洞部の底部を閉鎖し、ロックボルトを上部壁及びステアリングシャフトに向けてバイアスするためロックボルトスプリングと係合する。もちろん、上述のようなロックボルトカバーはもし空洞部が本発明の範囲から逸脱することなく両端部で開口していると空洞部上部と底部をカバーするためにも使用できる。
【００２９】
現在本発明の好ましい実施例と考えられるものが示され且つ説明されたが種々の変更及び改造が添付の請求項により規定された本発明の範囲から逸脱することなく実施されることは当業者にとって自明である。したがって、種々の代案及び実施例が特に本発明とみなされる要旨を指摘し且つ明確に請求している特許請求の範囲内であるように予期される。
【図面の簡単な説明】
【００３０】
【図１】図１は本発明を内蔵するハンドルロックアセンブリの斜視図である。
【図２】図２は図１のライン２−２に沿ったハンドルロックアセンブリの断面図である。
【図３】図３は図１のハンドルロックアセンブリの斜視、分解図である。
【図４】図４は図１のハンドルロックアセンブリを示す平面図である。
【図５】図５は図１のハンドルロックアセンブリを示す正面図である。
【図６】図６は図１のロックボルトカバーを示す上部斜視図である。
【図７】図７は図１のロックボルトカバーを示す底部斜視図である。
【図８】図８は図７のロックボルトカバーを示す底面図である。
【図９】図９は図７のロックボルトカバーを示す端面正面図である。
【図１０】図１０は図８のライン１０−１０に沿ったロックボルトカバーを示す断面図である。
【図１１】図１１は図８のライン１１−１１に沿ったロックボルトカバーを示す断面図である。
【図１２】図１２は図３のスナップベルトを示す上部、斜視図である。
【図１３】図１３は図１２のスナップベルトを示す平面図である。
【図１４】図１４は図１３のライン１４−１４に沿ったスナップベルトを示す断面図である。
【図１５】図１５は図１４のライン１５−１５に沿った図１４のスナップタブを示す詳細図である。
【図１６】図１６は図１の収容部に形成された開口部に受止められる図１４のスナップタブを示す詳細図である。
【符号の説明】
【００３１】
１０    ハンドルロックアセンブリ
１２    ロックボルト
１４    点火スイッチ
２０    アセンブリ収容部
２２    ロックボルト部
２６    円筒部
２８    円筒前方部
３０    円筒後方部
３２    カム
３４    カムピン
３６    カムスプリング
４４    下部壁部
４８    空洞部
６０    ロックボルトカバー
７０    スナップベルト
７２    環状溝
８０    ベルト案内タブ
９０    仕切り部
９２    ポケット
９４    矩形開口部
９６    カバー上部表面
９８    リップ部
【図１】
2007522025.tif 000003
【図２】
2007522025.tif 000004
【図３】
2007522025.tif 000005
【図４】
2007522025.tif 000006
【図５】
2007522025.tif 000007
【図６】
2007522025.tif 000008
【図７】
2007522025.tif 000009
【図８】
2007522025.tif 000010
【図９】
2007522025.tif 000011
【図１０】
2007522025.tif 000012
【図１１】
2007522025.tif 000013
【図１２】
2007522025.tif 000014
【図１３】
2007522025.tif 000015
【図１４】
2007522025.tif 000016
【図１５】
2007522025.tif 000017
【図１６】
2007522025.tif 000018
【国際調査報告】
2007522025.tif 000019
2007522025.tif 000020
2007522025.tif 000021
2007522025.tif 000022